(57)【要約】【課題】セラミック多孔質フィルタの良否判定を精度良く行なう。【解決手段】収容室４内に挿置したセラミック多孔質フィルタ４に吸引ファン５によって通風して、その通過風量が良品のフィルタについて予め測定した標準通過風量に対し一定範囲内にある場合に良品と判定する。通過風量は風量センサ８によってフィルタ４の上流側で測定する。【選択図】        図１
2011183355.tif 000002
【特許請求の範囲】
【請求項１】
セラミック多孔質フィルタの良否判定方法であって、前記フィルタに通風して、その通過風量が良品の前記フィルタについて予め測定した標準通過風量に対し一定範囲内にある場合に良品と判定することを特徴とするセラミック多孔質フィルタの良否判定方法。
【請求項２】
前記通過風量を前記フィルタの上流側で測定するようにした請求項１に記載のセラミック多孔質フィルタの良否判定方法。
【発明の詳細な説明】
【技術分野】
【０００１】
本発明はセラミック多孔質フィルタの良否判定方法に関し、特に、より正確な良否の判定を可能とする方法に関する。
【背景技術】
【０００２】
溶鋼起因の非金属介在物を捕集する目的でジルコニア等のセラミック多孔質フィルタ（以下、単にフィルタという）が使用されている。このようなフィルタでは、搬送中に内部で局所的な割れを生じ、あるいは製造過程で成形表面が荒れて通気抵抗が過大になり、あるいは局所的な詰まりを生じる等によって捕集効果が十分に得られないものがあった。従来はフィルタの重量を測定して、これを予め測定された良品の標準重量と比較し、一定範囲内にあれば良品としていた。
【０００３】
なお、特許文献１には、鋳型を気密室内に挿置して気密室の一方の開口から排気を行ないつつ、他方の開口に連結されたダクト内の流速を計測することによって鋳型の上型と下型の衝合状態の良否を検出する方法が提案されている。
【先行技術文献】
【特許文献】
【０００４】
【特許文献１】特開２００７−２８５９８４
【発明の概要】
【発明が解決しようとする課題】
【０００５】
ところで、従来の、重量によってフィルタの良否を判定する方法では、例えば割れた破片がフィルタ本体内に残っている場合や通気抵抗が過大となっている場合、あるいは詰まりが局所的である場合等はフィルタ全体の重量が大きく変化しないため、良否を誤判定するという問題があった。
【０００６】
そこで、本発明はこのような課題を解決するもので、セラミック多孔質フィルタの良否判定を精度良く行なうことができる良否判定方法を提供することを目的とする。
【課題を解決するための手段】
【０００７】
上記目的を達成するために、本第１発明は、セラミック多孔質フィルタの良否判定方法であって、前記フィルタに通風して、その通過風量が良品の前記フィルタについて予め測定した標準通過風量に対し一定範囲内にある場合に良品と判定することを特徴とする。
【０００８】
本第１発明において、フィルタの通過風量はこれが良品か不良品かで一義的に変化する。したがって、良品のフィルタについて予め測定した標準通過風量に対し一定範囲内にあるか否かによってフィルタの良否を確実に判定することができる。
【０００９】
本第２発明では、前記通過風量を前記フィルタの上流側で測定するようにする。本第２発明によれば通過風量の変動が少ないからフィルタの良否をより確実に判定することができる。
【発明の効果】
【００１０】
以上のように、本発明の良否判定方法によれば、セラミック多孔質フィルタの良否判定を精度良く行なうことができる。
【図面の簡単な説明】
【００１１】
【図１】本発明の方法を実施する装置の一例を示す断面図である。
【図２】風速センサをフィルタの上流側に設置した場合の風速変動量を示す図である。
【図３】フィルタの良否と、通過風量増減度および重量との関係を示す図である。
【図４】風速センサをフィルタの下流側に設置した場合の風速変動量を示す図である。
【発明を実施するための形態】
【００１２】
図１には本発明方法を実施するための装置の概略構成を示す。図１において、装置は支持柱上１１に載置された円筒形の収容器１を備えており、当該収容器１の上側開口１２を覆ってヒンジ部材３により開閉可能な板状の蓋体２が設けられている。収容器１は下側開口１３が容器内径よりもやや小径となって、その内部に円板状のセラミック多孔質フィルタ（以下、単にフィルタという）４が挿置されている。また、収容器１の下側開口１３に接して、吸引ファン５を内設したケーシング５１が設けられている。
【００１３】
蓋体２には上側開口１２よりもやや小径の円形開口２１が設けられており、蓋体２の下面にはこれと同形の板状パッキン２２が接合されて、蓋体２を閉鎖した際の気密が保たれるようになっている。蓋体２の開口２１には上方から拡散管６が覆着されている。当該拡散管６は下方へ拡径開放する逆漏斗状に成形され、その開口縁の全周が上記開口１２の全周に気密的に接合されるとともに、その中心頂部には起立姿勢の整流管７の下端が連結されている。整流管７の上端には風量（風速）センサ８の下端開口８１が連結されており、風量センサ８の上端開口８２は防塵フィルタ９内に位置している。防塵フィルタ９は蓋体２に設けた架台２３上に保持されている。
【００１４】
このような構造の装置において、吸引ファン５を回転させると、収容器１内の空気が外部へ排気されると同時に、風量センサ８から整流管７、拡散管６、収容室１内のフィルタ４を経て空気が吸引されて（図中の矢印）、フィルタ４内を空気が流通する。この場合の空気の流通は、小径の整流管７から拡散管６内へ空気が流入した際に、逆漏斗状に拡径開放する当該拡散管６内で流入空気は径方向へ大きく広げられ、上記フィルタ４の内周部から外周部の全域に亘って均一に流通させられる。ここで、フィルタ４内に割れや詰まりを生じていると、風量センサ８内を流れる風量、すなわち風速が変化するから、これによって上記フィルタ４の良否を判定することができる。
【００１５】
ところで、風量センサ８の位置はフィルタ４よりも上流側へ配置する必要がある。すなわち、風量センサ８をフィルタ４の下流側へ置くと、図４に示すように、重量の異なるフィルタＸ，Ｙ，Ｚについていずれも、検出される風速の変動幅が大きいために風速に基づいたフィルタ４の良否判定を確実に行えない可能性がある。
【００１６】
これに対して風量センサ８をフィルタ４の上流側へ置いた場合には、図２に示すように、重量の異なるフィルタＸ，Ｙ，Ｚについていずれも、検出される風速の変動幅は小さくなるからフィルタ４の良否判定を確実に行うことができる。
【００１７】
図３には、風量センサ８で検出される良品フィルタの標準的通過風量を１００％として、通過風量の増減度を縦軸にとり、フィルタ４の重量を横軸にとって各フィルタ４の良否との関係を示したものである。図中、○印は使用上問題のない良品フィルタであり、×印は、詰まり、割れ、捕集不良等の使用上の問題が生じた不良品フィルタである。
【００１８】
図３より明らかなように、標準的通過風量に対して通過風量の増減度の上限閾値と下限閾値を定め、これら閾値の範囲内（本実施形態では上下８％内）にあれば良品フィルタであると確実に判定することができる。これに対して従来の重量による良否判定では、割れが生じているにも拘わらず破片が本体内に留まっているためフィルタ重量が殆ど変化しないような不良品（図中Ａ）や、通気抵抗が過大になっているがフィルタ重量は殆ど変わらないような不良品（図中Ｂ）、あるいは局所的な詰まりが生じているがフィルタ重量は殆ど変わらないような不良品は良品と誤判定される可能性がある。なお、図中「詰まり」はフィルタにかなり広範囲な詰まりがある場合、「割れ」は割れが生じてその破片が本体内に留まっている場合、「捕集不可」はフィルタに形成された気孔が過大で非金属介在物が捕集されない場合を示している。
【符号の説明】
【００１９】
１…収容質、２…蓋体、４…セラミック多孔質フィルタ、５…吸引ファン、６…拡散管、７…整流管、８…風量センサ。
【図１】
2011183355.tif 000003
【図２】
2011183355.tif 000004
【図３】
2011183355.tif 000005
【図４】
2011183355.tif 000006